(57)【要約】      （修正有）【課題】一動作で肩ベルトを固定し、左右方向へのずれを防止するランドセルを提供する。【解決手段】繋ぎ部７を、第１の繋ぎ部７１１、７１２と第２の繋ぎ部７２１、７２２とで、構成する。第１の繋ぎ部７１１、７１２の一方の端部には、第１の係止部８を設ける。第２の繋ぎ部７２１、７２２の一方の端部に、第２の係止部９を設ける。第２の繋ぎ部７２１，７２２の他方の端部に、環状部７３、７３を設ける。環状部７３、７３と第１の繋ぎ部７１１，７１２の他方の端部とを縫合し略Ｌ字状に形成する。第１の係止部８、８でＤ型環状鐶６、６と係止し、第２の係止部９で第２の繋ぎ部７２１，７２２を係止し、第１の係止部８と環状部７３、７３により左右一対の肩ベルト２、２を連結する。【選択図】図１
0003152917.tif 000002
【実用新案登録請求の範囲】
【請求項１】
背当て部を有するランドセル本体と、該背当て部の上部に設けられた上取付部、及び、ランドセル本体底部に設けられた底取付部、に取り付けられた左右一対の肩ベルトと、を有するランドセルであって、
各該肩ベルトには、該肩ベルトに止着されたＤ型環状鐶と、該Ｄ型環状鐶に係止された繋ぎ部と、を備え、
該繋ぎ部は、該繋ぎ部の一方の端部が該Ｄ型環状鐶に係止される第１の係止部と、該繋ぎ部の他方の端部が左右一対の該繋ぎ部同士を係止する第２の係止部と、を備え、
一対の該繋ぎ部同士を係止することにより、該左右一対の肩ベルトが連結されることを特徴とするランドセル。
【請求項２】
該繋ぎ部が、
一端に該第１の係止部を有して該左右一対の肩ベルトの長手方向に沿って設けられた第１の繋ぎ部と、
一端に該第２の係止部を有し、他端に該肩ベルトを挿入可能な環状部を備えて、該肩ベルトの幅方向に沿って設けられた第２の繋ぎ部と、を備えて構成され、
該第１の繋ぎ部と該第２の繋ぎ部とを、該第１の繋ぎ部の他端を該第２の繋ぎ部の該環状部に縫合することにより略Ｌ字状に形成することを特徴とする請求項１記載のランドセル。
【請求項３】
該繋ぎ部が、該ランドセルの巾方向に沿って、長さ調節可能に形成されていることを特徴とする請求項１又は２記載のランドセル。
【請求項４】
該第１の繋ぎ部が、該肩ベルトの長手方向に沿って、長さ調節可能に形成されていることを特徴とする請求項２又は３記載のランドセル。
【考案の詳細な説明】
【技術分野】
【０００１】
本考案はランドセルを背負った状態において、肩ベルトの左右方向の開きを制限し背中からズレ落ちることを防止するランドセルに関する。
【背景技術】
【０００２】
従来のランドセルでは、肩ベルトが、使用中にランドセル自体の重さにより次第に肩からずれて、使用者の背中から離れて後方に傾いてしまっていた。
【０００３】
それを解決するため、非特許文献１では、図９に示すとおり、ランドセル本体２１の背当て部２３の上部の取付部２４と、ランドセル本体２１下部に設けた図示しない取付部に肩ベルト２２を取り付け、一対の肩ベルト２２、２２における相互に対向する側の端面２２１の長さ方向の寸法を長く、一対の肩ベルト２２、２２における相互に対向する側と反対側の端面２２２の長さ方向の寸法を短くすることで、湾曲形状にし、肩ベルト２２が肩に沿って当たるようにし、肩にかかる負担を軽減させていた。
【０００４】
特許文献１では、ランドセル本体の背当て部の上部に設けた取付具の左右一対の連結体の上端にそれぞれ弾性部材を上方向に延設し、これら弾性部材に肩ベルトを取り付けたものとしている。そして、前記肩ベルトの上端部を、取付具に設けた挿通部に取り付けた連結環に巻着するとともに、弾性部材に固着したものとしている。さらに、前記連結体を背当て部にそれぞれ左右方向に揺動自在に取り付けるとともに、連結体にそれぞれランドセルの幅方向中心に向かう内方向の弾力を付している。肩ベルト取付具に弾性体を使用することで、取付具が上方に向いた状態にして、使用者の背中に密着した状態を保つという方法がとられていた。
【先行技術文献】
【非特許文献】
【０００５】
【非特許文献１】株式会社セイバン、“ランドセル機能  ３Ｄ肩ベルト”、[ｏｎｌｉｎｅ]、株式会社セイバン、［平成２１年４月１日検索]、インターネット＜ＵＲＬ：http:www//randoseru.ne.jp/3d.html＞
【特許文献】
【０００６】
【特許文献１】特開２００４−８１８０２号公報（第３−５ページ、図７参照）
【考案の概要】
【考案が解決しようとする課題】
【０００７】
しかし、非特許文献１の肩ベルトは、湾曲した一対の肩ベルト２２、２２における相互に対向する側で肩ベルトを引き上げる力を発生させ、湾曲した一対の肩ベルト２２、２２の相互に対向する側と反対側で肩ベルトを引き下げる力を発生させて上下方向の力を相殺させている（図９参照）だけなので、肩ベルトが左右方向に移動する力には、対応することができず、肩ベルトが左右方向にずれて肩に負担がかかる。
【０００８】
また、特許文献１の肩ベルトでも、弾性体により上方向に引っ張り戻していることから、同様であり、連結体を背当て部にそれぞれ左右方向に揺動自在に取り付けるとともに、連結体にそれぞれ内方向の弾力を付していても、肩ベルトの位置を使用者の体格に応じたものとすることができるが、肩ベルトが左右方向に開いていくのを制限することはできなかった。
【０００９】
また、肩ベルトを紐等で縛ることも考えられるが、素早く扱うことができないという問題が生じていた。
【００１０】
本考案は上記事情に鑑み、ランドセルを背負った状態において、一動作で肩ベルトの左右方向の開きを制限し、背中からズレ落ちることを防止するランドセルを提供することを目的とする。
【課題を解決するための手段】
【００１１】
請求項１記載の考案のランドセルは、背当て部を有するランドセル本体と、該背当て部の上部に設けられた上取付部、ランドセル本体底部に設けられた底取付部、に取り付けられた左右一対の肩ベルトと、を有するランドセルであって、該肩ベルトに止着された係止部を有するＤ型環状鐶と、該Ｄ型環状鐶に係止された繋ぎ部と、を備え、該繋ぎ部は、該繋ぎ部の一方の端部が該Ｄ型環状鐶に係止される第１の係止部と、該繋ぎ部の他方の端部が左右一対の該繋ぎ部同士を係止する第２の係止部と、を備え、一対の該繋ぎ部同士を係止することにより、該左右一対の肩ベルトが該繋ぎ部で連結されることを特徴とする。
【００１２】
請求項２記載の考案は、該繋ぎ部が、一端に該第１の係止部を有して該左右一対の肩ベルトの長手方向に沿って設けられた第１の繋ぎ部と、一端に該第２の係止部を有し、他端に該肩ベルトを挿入可能な環状部を備えて、該肩ベルトの幅方向に沿って設けられた第２の繋ぎ部と、を備えて構成され、該第１の繋ぎ部と該第２の繋ぎ部とを、該第１の繋ぎ部の他端を該第２の繋ぎ部の環状部に縫合することにより略Ｌ字状に形成することを特徴とする。
【００１３】
請求項３記載の考案では、該繋ぎ部が該ランドセルの巾方向に沿って長さ調節可能に形成されていることを特徴とする。
【００１４】
請求項４記載の考案では、該第１の繋ぎ部が該肩ベルトの長手方向に沿って長さ調節可能に形成されていることを特徴とする。
【考案の効果】
【００１５】
請求項１記載の考案では、左右一対の肩ベルトに設けられたＤ型環状鐶に、左右一対に分割した繋ぎ部をそれぞれ取り付け、繋ぎ部同士を係止して一対の繋ぎ部を連結している。これによって、左右一対の肩ベルトを連結することができ、肩ベルトが左右方向に広がろうとする動きを制限し、肩ベルトが、使用中にランドセル自体の重さにより次第に肩からずれて、使用者の背中から離れて後方に傾いてしまうことを防止することができる。
【００１６】
請求項２記載の考案では、左右一対の繋ぎ部が、一方の端部にＤ型環状鐶に係止される第１の係止部を有し、左右一対の肩ベルトの長手方向に沿って設けられた第１の繋ぎ部と、一方の端部が該左右一対の肩ベルトを挿入できる環状部を有し、他方の端部が第２の繋ぎ部同士を係止する着脱可能な第２の係止部を有し、左右一対の肩ベルトの巾方向に沿って設けられた第２の繋ぎ部により構成されている。
【００１７】
左右一対の繋ぎ部が、第１の繋ぎ部の第１の係止部によりＤ型環状鐶に係止でき、第２の繋ぎ部の環状部に肩ベルトを挿入することにより、肩ベルトと一体化することができ、一対の第２の繋ぎ部の第２の係止部同士を係止することにより左右一対の肩ベルトを繋ぐことができる。これによって、左右一対の肩ベルトが左右方向に広がろうとする動きを制限することができる。しかも、第２の繋ぎ部の環状部が、挿通された肩ベルト上を摺動できるため、Ｄ型環状鐶の位置が高い場合に、最大第１の繋ぎ部の長さ分、下方向に長さ調節できる。
【００１８】
請求項３記載の考案では、左右一対の繋ぎ部の一方、又は両方にランドセルの巾方向の長さ調節手段を取り付けることにより、左右一対の肩ベルトの間の距離を調節可能となる。
【００１９】
請求項４記載の考案では、第１の繋ぎ部に肩ベルトの長手方向の調節手段を取り付けることによって、第２の繋ぎ部の第２の係止部を操作しやすい位置に調節することができる。
【図面の簡単な説明】
【００２０】
【図１】本考案における一実施形態のランドセルを示す斜視図である。
【図２】図１におけるランドセルの要部を示す拡大正面図である。
【図３】図２における係止部を解除した状態を示す拡大正面図である。
【図４】本考案の一実施形態の肩ベルト調節器具の側面断面図である。
【図５】本考案の一実施形態の肩ベルト調節器具の平面断面図である。
【図６】本考案の一実施形態の肩ベルト調節器具を肩ベルトが対向する側に絞った状態の拡大正面図である。
【図７】図１のランドセルを背負った状態の正面図である。
【図８】本考案における別の実施形態のランドセルの要部を示す拡大図である。
【図９】電気通信回線において公知となったランドセルの肩ベルトを示す説明図である。
【考案を実施するための形態】
【００２１】
以下、本考案のランドセルの実施形態を図面に基づいて説明する。
【００２２】
図１に示すとおり、ランドセル１の左右一対の肩ベルト２は、背当て部３の上部に設けられた上取付部４と、ランドセル１の底部に設けられた図示しない底取付部とにより取り付けられている。肩ベルト２の略中央部には、Ｄ型環状鐶６が止着されている。また、左右一対の肩ベルト２、２を連結可能に肩ベルト調節器具１０が配置されている。肩ベルト調節器具１０は、それぞれの肩ベルト２、２に装着した繋ぎ部７、７を連結することにより形成されている。
【００２３】
ここでＤ型環状鐶とは、Ｄ字形状をした環状の係止器具であり、皮革や合成樹脂地等を折り曲げて設けられた挿通部にＤ字形状の直線部分を挿通し、皮革や合成樹脂地等を折り曲げた折畳部でランドセル本体や肩ベルトに止着されているものをいう。
【００２４】
図２乃至図５に示すように、左右一対の繋ぎ部７は、肩ベルト２、２の長手方向に沿って配置される第１の繋ぎ部７１１、７１２と、第１の繋ぎ部７１１、７１２の先端に連結されて第１の繋ぎ部７１１、７１２と直交する方向に配置される第２の繋ぎ部７２１、７２２とを備えて形成されている。
【００２５】
第１の繋ぎ部７１１、７１２は、それぞれ一方の端部に該Ｄ型環状鐶６、６に係止する着脱可能な第１の係止部８、８を有している。第１の繋ぎ部７１１、７１２は皮革や合成樹脂地等で形成する帯状部材を折り返して肩ベルト２、２の長手方向に沿って延設して形成している。延設した中間部には折り返された帯状部材を重ねるとともに長さ調節できるように長さ調節部１１１、１１１を配置する。
【００２６】
また、第２の繋ぎ部７２１、７２２は、皮革や合成樹脂地等で帯状に形成される。一方の端部を折り返し、肩ベルト２、２のそれぞれを巻きつけて着脱可能な止着部５、５で止着し、環状部７３、７３を形成する。他方の端部には第２の繋ぎ部７２１、７２２同士を係止する着脱可能な係止部９ａ、９ｂを備える。それぞれの係止部９ａ、９ｂを係止して連結することにより繋ぎ部７２１、７２２の第２の係止部９を形成している。
【００２７】
本実施形態では、第２の係止部９において、一方の係止部９ａがバックル雌部であり他方の係止部９ｂがバックル雄部を有するバックル手段を用いているが、第１の係止部８、第２の係止部９のいずれにおいても、係止する手段は、本実施形態にこだわらない。着脱可能なものであれば、既存のあらゆる手段を用いることができる。例えば、第１の係止部８、第２の係止部９とも、挿入可能な開閉部を有する環状リングを用いてもよい。      
【００２８】
繋ぎ部７、７は、それぞれ第１の繋ぎ部７１１、７１２の先端部を第２の繋ぎ部７２１、７２２の環状部７３、７３の一部に縫合することにより略Ｌ字状に形成される。この構成により、第２の繋ぎ部７２１、７２２の環状部７３、７３に左右一対の肩ベルト２、２をそれぞれ挿入し、第２の係止部９で第２の繋ぎ部７２１、７２２同士を係止すると、左右一対の肩ベルト２、２が連結されることになる。
【００２９】
これによって、第１の繋ぎ部７１１、７１２の第１の係止部８、８と、第２の繋ぎ部７２１、７２２の環状部７３、７３と、第２の繋ぎ部７２１、７２２の第２の係止部９と、で左右一対の肩ベルト２、２を連結することとなる。よって、左右一対の肩ベルト２、２が左右方向に広がろうとする動きを制限することができる。
【００３０】
また、図２、３に示すように、第２の繋ぎ部７２２の係止部９ｂの元部付近には、折り返された帯状部材を重ねるとともに肩ベルト２、２の巾方向長さを調節できるように長さ調節部１１２を設けている。なお、長さ調節部１１２を、第２の繋ぎ部７２１側に設けてもよい。
【００３１】
上記実施形態の使用方法としては、先ず、図２に示すように、略Ｌ字状に形成された繋ぎ部７の第１の繋ぎ部７１１、７１２の一方の端部とＤ型環状鐶６、６を第１の係止部８、８で係止する。次に、図５に示すとおり、第２の繋ぎ部７２１、７２２の環状部７３、７３を左右一対の肩ベルト２、２にそれぞれ巻きつけるように止着部５、５で止着しておく。さらに、ランドセルを背負った状態で、図３、７に示すとおり、第２の繋ぎ部７２１、７２２同士を係止する。これにより、左右一対の肩ベルト２、２は、略Ｌ字状に形成された繋ぎ部７、７を介して連結される。長さ調節部１１１、１１２を設ける場合は、図６に示すとおり、第２の繋ぎ部７２１、７２２同士を第２の係止部９で係止する前におおよその長さに仮決めし、係止した後に第１の繋ぎ部７１１、７１２の上下方向の長さ、第２の繋ぎ部７２１、７２２の左右方向の長さを第２の係止部９が操作しやすいように、また、体にフィットするように帯状部材を延ばしたり、縮めたりして調節する。さらに、Ｄ型環状鐶６、第１の係止部８、環状部７３等に防犯ブザーを取り付けてもよい。
【００３２】
本実施形態では、Ｄ型環状鐶６の位置が高くて第２の係止部９を操作しにくい場合に、最大で第１の繋ぎ部７１１、７１２の長さ分、第２の係止部９の位置を下へ下げることが可能となり、第２の係止部９の操作が容易となる。第２の繋ぎ部７２１、７２２の環状部７３に左右一対の肩ベルト２、２を挿入することで、肩ベルト２と略Ｌ字状に形成された繋ぎ部７が離れることがなく拘束されるので、係止された第２の繋ぎ部７２１、７２２の長さ分まで肩ベルト２の左右方向の動きを制限できる。
【００３３】
また、ランドセル１の肩ベルト調節器具１０自体が第１の繋ぎ部７１１、７１２を介してＤ型環状鐶６と係止されているので、第２の繋ぎ部７２１、７２２の環状部７３が止着されている止着部５が外れたとしても、肩ベルトから脱落してしまうこともない。第１の繋ぎ部７１１、７１２に肩ベルトの長手方向の長さ調節部１１１を、第２の繋ぎ部７２１、７２２にそれぞれ肩ベルトの巾方向の長さ調節部１１２を、設けることにより、上下方向、左右方向の長さ調節が体の大きさにあわせて可能となり、第２の係止部９の操作性がさらに向上する。
【００３４】
次に他の実施形態を説明する。図８に示すように、肩ベルト調節器具１０Ａの繋ぎ部７は、左右一対の肩ベルト２、２にそれぞれに対応して、繋ぎ部７４１、７４２に二分割され、一方の端部にＤ型環状鐶６と係止する第１の係止部８１が設けられる。第１の係止部８１は、Ｄ型環状鐶６と係止できるものであり、着脱可能なものであれば、既存のあらゆるものを用いることができる。例えば、挿入可能な開閉部を有する環状リングを用いてもよい。
【００３５】
また、繋ぎ部７４１、７４２の他方の端部には、繋ぎ部７４１、７４２を係止する第２の係止部９１が設けられる。第２の係止部９１は、本実施例においては、差し込み式のバックルを用いているが、繋ぎ部７同士を係止でき、着脱可能なものであれば、既存のあらゆるものを用いることができる。例えば、挿入可能な開閉部を有する環状リングを用いてもよい。
【００３６】
使用方法は、先ず、繋ぎ部７を繋ぎ部７４１、７４２に分割した状態にしておき、第１の係止部８１、８１でＤ型環状鐶６、６と係止し、次に繋ぎ部７４１と繋ぎ部７４２を第２の係止部９１で係止する。これにより、左右一対の肩ベルト２、２は繋ぎ部７４１、７４２を介して連結される。
【００３７】
以上の構成により本実施形態のランドセル１は、左右一対の肩ベルト２、２の左右方向への動きを制限することができ、肩ベルト２、２が使用中にランドセル１自体の重さにより次第に肩からずれて、使用者の背中から離れて後方に傾いてしまうことを防止し、体にフィットさせることができる。
【００３８】
また、繋ぎ部７４１、７４２は、第１の係止部８１に、Ｄ型環状鐶６と着脱可能な係止部材を用いることで、Ｄ型環状鐶６を備える肩ベルト２であれば、他のメーカーのランドセルにも、湾曲形状の肩ベルトにも取り付けることができる。肩ベルト２の巾方向の長さ調節部１１３を設ければ、体の大きさに合わせて調節することができる。
【符号の説明】
【００３９】
１  ランドセル本体
２  肩ベルト
３  背当て部
６ Ｄ型環状鐶
７  繋ぎ部
７１１  第１の繋ぎ部
７１２  第１の繋ぎ部
７２１  第２の繋ぎ部
７２２  第２の繋ぎ部
７４１  繋ぎ部
７４２  繋ぎ部
８  第１の係止部
８１  第１の係止部
９  第２の係止部
９１  第２の係止部
１０  肩ベルト調節器具
１１１  長さ調節部（長手方向）
１１２  長さ調節部（巾方向）
１１３  長さ調節部（巾方向）
【図１】
0003152917.tif 000003
【図２】
0003152917.tif 000004
【図３】
0003152917.tif 000005
【図４】
0003152917.tif 000006
【図５】
0003152917.tif 000007
【図６】
0003152917.tif 000008
【図７】
0003152917.tif 000009
【図８】
0003152917.tif 000010
【図９】
0003152917.tif 000011
【手続補正書】
【提出日】平成21年6月16日(2009.6.16)
【手続補正１】
【補正対象書類名】実用新案登録請求の範囲
【補正対象項目名】全文
【補正方法】変更
【補正の内容】
【実用新案登録請求の範囲】
【請求項１】
背当て部を有するランドセル本体と、該背当て部の上部に設けられた上取付部、及び、ランドセル本体底部に設けられた底取付部、に取り付けられた左右一対の肩ベルトと、を有するランドセルであって、
各該肩ベルトには、該肩ベルトに止着されたＤ型環状鐶と、該Ｄ型環状鐶に係止された繋ぎ部と、を備え、
該繋ぎ部は、該繋ぎ部の一方の端部が該Ｄ型環状鐶に係止される第１の係止部と、該繋ぎ部の他方の端部が左右一対の該繋ぎ部同士を係止する第２の係止部と、を備え、
一対の該繋ぎ部同士を係止することにより、該左右一対の肩ベルトが連結されることを特徴とするランドセル。
【請求項２】
該繋ぎ部が、
一端に該第１の係止部を有して該左右一対の肩ベルトの長手方向に沿って設けられた第１の繋ぎ部と、
一端に該第２の係止部を有し、他端に該肩ベルトを挿入可能な環状部を備えて、該肩ベルトの幅方向に沿って設けられた第２の繋ぎ部と、を備えて構成され、
該第１の繋ぎ部と該第２の繋ぎ部とを、該第１の繋ぎ部の他端を該第２の繋ぎ部の該環状部に縫合することにより略Ｌ字状に形成することを特徴とする請求項１記載のランドセル。
【請求項３】
該繋ぎ部が、該ランドセルの巾方向に沿って、長さ調節可能に形成されていることを特徴とする請求項２記載のランドセル。
【請求項４】
該第１の繋ぎ部が、該肩ベルトの長手方向に沿って、長さ調節可能に形成されていることを特徴とする請求項２又は３記載のランドセル。
【手続補正２】
【補正対象書類名】明細書
【補正対象項目名】００１１
【補正方法】変更
【補正の内容】
【００１１】
請求項１記載の考案のランドセルは、背当て部を有するランドセル本体と、該背当て部の上部に設けられた上取付部、及び、ランドセル本体底部に設けられた底取付部、に取り付けられた左右一対の肩ベルトと、を有するランドセルであって、各該肩ベルトには、該肩ベルトに止着されたＤ型環状鐶と、該Ｄ型環状鐶に係止された繋ぎ部と、を備え、該繋ぎ部は、該繋ぎ部の一方の端部が該Ｄ型環状鐶に係止される第１の係止部と、該繋ぎ部の他方の端部が左右一対の該繋ぎ部同士を係止する第２の係止部と、を備え、一対の該繋ぎ部同士を係止することにより、該左右一対の肩ベルトが該繋ぎ部で連結されることを特徴とする。
【手続補正３】
【補正対象書類名】明細書
【補正対象項目名】００１２
【補正方法】変更
【補正の内容】
【００１２】
請求項２記載の考案は、該繋ぎ部が、一端に該第１の係止部を有して該左右一対の肩ベルトの長手方向に沿って設けられた第１の繋ぎ部と、一端に該第２の係止部を有し、他端に該肩ベルトを挿入可能な環状部を備えて、該肩ベルトの幅方向に沿って設けられた第２の繋ぎ部と、を備えて構成され、該第１の繋ぎ部と該第２の繋ぎ部とを、該第１の繋ぎ部の他端を該第２の繋ぎ部の該環状部に縫合することにより略Ｌ字状に形成することを特徴とする。